(57)【要約】      （修正有）【課題】通気孔を有する伸縮ロッド式ペット用キャリーケースを提供する。【解決手段】伸縮ロッド式ペット用キャリーケースは、開口端と、閉端と、前記開口端と前記閉端との間に位置される収納空間とを有する本体１０と、前記本体の前記開口端に配置され且つ前記収納空間に連通される複数の通気孔を有する蓋体２０と、前記本体に配置される伸縮ロッドアセンブリ３０と、前記本体に配置され、且つ、地面に接触する複数の車輪を含む車輪群４０とを備える。【選択図】図１
0003209614.tif 000002
【実用新案登録請求の範囲】
【請求項１】
開口端と、閉端と、前記開口端と前記閉端の間に位置される収納空間とを有する本体と、前記本体の前記開口端に配置され且つ前記収納空間に連通される複数の通気孔付き蓋体と、前記本体に配置される伸縮ロッドアセンブリと、前記本体に配置され且つ地面に接触する複数の車輪を含む車輪群とを備えることを特徴とする、伸縮ロッド式ペット用通気孔付きキャリーケース。
【請求項２】
前記本体が、前記収納空間に連通する複数の穴を有する、請求項１に記載された伸縮ロッド式ペット用通気孔付きキャリーケース。
【請求項３】
前記本体が、前記収納空間に連通する複数の吊り穴を有する、請求項１に記載された伸縮ロッド式ペット用通気孔付きキャリーケース。
【請求項４】
一つの側が前記本体の前記開口端に連結され、他の側が前記蓋体に連結されるファスナーを更に備えてなる、請求項１に記載された伸縮ロッド式ペット用通気孔付きキャリーケース。
【請求項５】
前記伸縮ロッドアセンブリが、第一伸縮ロッドと、第二伸縮ロッドと、前記第一伸縮ロッド及び前記第二伸縮ロッドに連結する把手部とを備えるロッドである、請求項１に記載された伸縮ロッド式ペット用通気孔付きキャリーケース。
【請求項６】
前記伸縮ロッドアセンブリにおける前記第一伸縮ロッドが、第一の外側ロッド、及び前記第一の外側ロッドに直列連結される第一の内側ロッドを含んでおり、
前記第一の外側ロッド及び前記第一の内側ロッドは互いに伸縮するように相対変位することができ、
前記第二伸縮ロッドが、第二の外側ロッド、及び前記第二の外側ロッドに直列連結される第二の内側ロッドを含んでおり、
前記第二の外側ロッド及び前記第二の内側ロッドは互いに伸縮するように相対変位することができ、
前記第一の外側ロッド及び前記第二の外側ロッドが、それぞれ前記本体に配設されており、
前記把手部が、前記第一の内側ロッド及び前記第二の内側ロッドに連結されている、請求項５に記載された伸縮ロッド式ペット用通気孔付きキャリーケース。
【請求項７】
前記本体の一つの側に突出するように形成される伸縮ロッド台座を更に備え、
前記伸縮ロッドアセンブリが前記伸縮ロッド台座に配設されている、請求項１、５又は６の何れか１項に記載された伸縮ロッド式ペット用通気孔付きキャリーケース。
【請求項８】
第一の開口端と第一の閉端とを含む第一の部材、及び、前記第一の部材に結合され且つ第二の開口端と第二の閉端とを含む第二の部材で構成される本体と、
前記第一の部材の内部に形成される第一の収納空間と、
前記第二の部材の内部に形成される第二の収納空間と、
各々複数の通気孔を有する２つの蓋体と、
前記本体に配置される伸縮ロッドアセンブリと、
前記本体に配置され、且つ地面に接触する複数の車輪を含む車輪群とを備え、
前記第一の収納空間及び前記第二の収納空間が各自独立する空間であり、
前記２つの蓋体のうち、１つの蓋体が前記第一の部材における前記第一の開口端に可動的に配設されており、他の蓋体が前記第二の部材における前記第二の開口端に可動的に配設されていることを特徴とする、伸縮ロッド式ペット用通気孔付きキャリーケース。
【請求項９】
前記第一の部材の表面に、前記第一の部材における前記第一の収納空間に連通する複数の穴を備えてなる、請求項８に記載された伸縮ロッド式通気孔付きペット用キャリーケース。
【請求項１０】
前記第一の部材及び前記第二の部材が、前記収納空間に連通する複数の吊り穴を各々備えてなる、請求項８に記載された伸縮ロッド式ペット用通気孔付きキャリーケース。
【請求項１１】
前記第二の部材が、前記第二の部材における前記第二の収納空間に連通する複数の穴を備えてなる、請求項８に記載された伸縮ロッド式ペット用通気孔付きキャリーケース。
【請求項１２】
前記伸縮ロッドアセンブリが、第一伸縮ロッドと、第二伸縮ロッドと、把手部とを備え、
前記把手部が、前記第一伸縮ロッド及び前記第二伸縮ロッドに連結してなる、請求項８に記載された伸縮ロッド式ペット用通気孔付きキャリーケース。
【請求項１３】
前記伸縮ロッドアセンブリにおける
前記第一伸縮ロッドが、第一の外側ロッドと、前記第一の外側ロッドに直列連結される第一の内側ロッドとを含んでおり、
前記第一の外側ロッド及び前記第一の内側ロッドが互いに伸縮するように相対変位することができ、
前記第二伸縮ロッドが、第二の外側ロッドと、前記第二の外側ロッドに直列連結される第二の内側ロッドを含んでおり、
前記第二の外側ロッド及び前記第二の内側ロッドは、互いに伸縮するように相対変位することができ、
前記第一の外側ロッド及び前記第二の外側ロッドは、それぞれ前記本体に配設されており、
前記第一の内側ロッド及び前記第二の内側ロッドの一端が、それぞれ前記把手部に連結されている、請求項１２に記載された伸縮ロッド式ペット用通気孔付きキャリーケース。
【請求項１４】
前記本体の一側に突出するように形成される伸縮ロッド台座を更に備え、
前記伸縮ロッドアセンブリが前記伸縮ロッド台座に配設されてなる、請求項８、１２又は１３の何れか１項に記載された伸縮ロッド式ペット用通気孔付きキャリーケース。
【考案の詳細な説明】
【技術分野】
【０００１】
本考案は、ペット用キャリーケースに関し、より詳しくは、本体には伸縮ロッドアセンブリが配置されているペット用キャリーケースであって、複数の穴及び複数の吊り穴を備えることにより、空気がスムーズに対流すると共に、使用者がアクセサリーを吊り掛けたり、フックに引っ掛けたりすることができる効果を達成する伸縮ロッド式ペット用通気孔付きキャリーケースに関する。
【背景技術】
【０００２】
従来、伝統的なペット用キャリーケースは通常本体及び蓋体を備えてなる構造体にするが、使用者が移動中に携帯しやすくするために、更に前記本体に持ち手又はハンドルを連結してなるのは一般的である。
【０００３】
ペット用キャリーケースに対し、ハンドルを蓋体に配置するか、それとも持ち手を本体に連結するという設計にすれば、使用者が移動する場合でも携帯しやすくなり、持ちやすくなるという作用効果を実現することができるが、一旦、長時間使用すると、使用者が力を要るように感じ、疲れてしまう虞がある。上記の欠点を改善する一例として、従来、ペット用キャリーケースの構造を、ハンドルを具備するように改良したペット籠が提案されている（特許文献１）。しかし、特許文献１に記載された前記ペット籠を使用した場合には、使用者が力を要るように感じて疲れてしまう上、更に、前記ロッドと前記蓋体との距離が短いため、使用者にとっては持ち難いという欠点もあった。
【０００４】
また、バッグ体と、前記バッグ体の一つの側に配置され且つ地面に接触する車輪群と、前記バッグ体の一つの側に配置され且つ伸縮可能な機能を具備している押し棒とを組み合わせたペットバッグも提案されている（特許文献２）。しかしながら、このペットバッグの場合には、使用者が移動中にペットバッグを押したり引いたりしやすくなり、使用者が快適に使要することが可能である一方、バッグが軟性布材料材質で製作されたものあるため、使用者が、移動中にバッグを何かにぶつけてしまった場合には、軟性のバッグ体であるため、バッグ内部の動物を保護することができないという欠点があった。
【先行技術文献】
【特許文献】
【０００５】
【特許文献１】台湾実用新案公告第Ｍ４４７６６７号
【特許文献２】台湾実用新案公告第Ｍ３７６１３８号
【０００６】
そこで、本考案者は上記の欠点を改善すべく鋭意検討を重ねた結果、合理的かつ効果的に課題を改善することができることを見いだし、本考案に到達した。
【考案の概要】
【考案が解決しようとする課題】
【０００７】
したがって本考案の目的は、ペットを携帯しやすくなると共に、安全で快適な空間をペットに付与することが可能であるペット用キャリーケースであって、内部には収納空間を有する硬質の本体を備える伸縮ロッド式ペット用通気孔付きキャリーケースを提供することにある。
【０００８】
本考案の他の目的は、ペット用キャリーケースを移動させ易くすることができるペット用キャリーケースであって、伸縮ロッドアセンブリを具備している、伸縮ロッド式ペット用通気孔付きキャリーケースを提供することにある。
【課題を解決するための手段】
【０００９】
即ち、本考案に係る伸縮ロッド式ペット用通気孔付きキャリーケースは、通風孔を有する構造であって、本体と、蓋体と、伸縮ロッドアセンブリと、車輪群とを、下記のように備えている。前記本体の周部の一つの側には開口端が形成され、他の側には閉端が形成される。前記蓋体は前記本体の前記開口端に配置される。前記車輪群は前記本体の一つの側に配置され、且つ地面に接触される。前記伸縮ロッドアセンブリは、第一伸縮ロッドと、第二伸縮ロッドと、把手部とを含む。前記把手部は前記第一伸縮ロッドの一端及び前記第二伸縮ロッドの一端に連結される。前記第一伸縮ロッドの他端及び前記第二伸縮ロッドの他端は前記本体の一つの側に連結される。前記伸縮ロッドアセンブリは伸縮機能を具備するもので、使用者が、その長さ(高さ)を必要に応じて合わせられるように調整することが可能になる。
【考案の効果】
【００１０】
本考案の伸縮ロッド式ペット用通気孔付きキャリーケースは、本体に伸縮機能を具備する伸縮ロッドアセンブリが配置されているので、使用者がその長さ(高さ)を必要に応じて調整することが可能になる。また、前記本体は、複数の通気孔と、複数の穴と、吊り穴とを備えており、これにより、空気をスムーズに対流させる効果を達成することができると共に、物品を吊り掛けたり、引っ掛けたりすることのできる機能を奏する。
【図面の簡単な説明】
【００１１】
【図１】本考案に係る一実施形態を示す外観斜視図である。
【図２】本考案に係る、蓋体が開放された状態を示す外観斜視図である。
【図３】本考案に係る蓋体が閉鎖された状態を示す外観斜視図である。
【図４】本考案に係る蓋体が開放した状態を呈する概略図である。
【図５】本考案に係る伸縮ロッド構造を示す概略図である。
【図６】本考案に係る他の実施形態を示す外観斜視図である。
【図７】本考案に係る、他の実施形態の蓋体が開放された状態を示す外観斜視図である。
【図８】本考案に係る他の実施形態において、伸縮自在な伸縮ロッドアセンブリを配置した状態を示す外観図である。
【考案を実施するための形態】
【００１２】
以下に、図面を参照しながら、本考案を実施するための形態について、詳細に説明する。なお、本考案は、以下に説明する実施形態に限定されるものではない。
【００１３】
以下、本考案に係わる具体的な実施形態について、添付の図面を参照して説明する。本考案は、図１に示すように、本体１０と、蓋体２０と、伸縮ロッドアセンブリ３０と、車輪群４０とを組み合わせたものである。なお、図２に示すように、前記本体１０において、周部１１の一つの側には開口端１２が形成されており、他の側には閉端１４が形成されている。前記開口端１２は前記閉端１４に対向して配置されている。収納空間１６は、前記開口端１２と前記閉端１４の間に位置するように前記周部１１内に形成される。前記収納空間１６には、ペット、例えば、犬や猫等を収納することができる。
【００１４】
前記蓋体２０は複数の通気孔２２を有する。前記蓋体２０は前記本体１０の前記開口端１２に配置される。前記複数の通気孔２２が前記収納空間１６に連通するため、空気は阻害されずに前記収納空間１６に進入することができる。前記複数の通気孔２２は完全には遮蔽されていないため、使用者は前記収納空間１６内にいるペットの様子を詳しく知ることができる。
【００１５】
前記伸縮ロッドアセンブリ３０は前記本体１０に配置される。前記伸縮ロッドアセンブリ３０は、第一伸縮ロッド３２と、第二伸縮ロッド３４と、把手部３６とを備えている。前記把手部３６は前記第一伸縮ロッド３２の一端及び前記第二伸縮ロッド３４の一端に連結している。
【００１６】
前記本体１０の一つの側には伸縮ロッド台座３８を有する。前記伸縮ロッドアセンブリ３０の前記第一伸縮ロッド３２及び前記第二伸縮ロッド３４は、共に前記伸縮ロッド台座３８に配置される。前記伸縮ロッド台座３８は、前記本体１０の一つの側に突出する。このため、前記伸縮ロッドアセンブリ３０が前記本体１０に配置される場合でも、前記収納空間１６を占領することはなくなる。よって、前記伸縮ロッド台座３２の設計によれば、前記本体１０における前記収納空間１６の空間利用率を向上する効果を達成することが可能になる。
【００１７】
前記車輪群４０は複数の車輪４２を備える。前記複数の車輪４２は前記本体１０に配置されている。これにより、前記複数の車輪は地面に接触させて使用することができる。前記本体１０、前記蓋体２０及び前記伸縮ロッドアセンブリ３０が押されて移動する場合、前記車輪群４０はその移動に追随して回転するため、使用者が、前記ペット用キャリーケースを移動させることが容易になる。
【００１８】
前記複数の穴５０は前記本体１０の前記周部１１に形成される。前記複数の穴５０は前記本体１０の前記収納空間１６に連通する。
【００１９】
前記本体１０の前記開口端１２が、図３に示すように前記蓋体２０により覆われる場合でも、前記複数の穴５０と前記収納空間１６とが連通する構造であるので、空気は、スムーズに対流することができる。また、複数の吊り穴５２は前記本体１０の周部１１に形成される。使用者は、アクセサリーを前記複数の吊り穴５２に吊り掛けたり、フック５４に引っ掛けたりすることができる（図３を参照）。
【００２０】
また、図４に示すように、ファスナー６０は前記本体１０と前記蓋体２０との間に配置される。また、前記ファスナー６０の一つの側は前記本体１０の前記開口端１６に連結されており、他の側は前記蓋体２０に連結されている。図４に示すように、前記ジッパーファスナー６０を引けば、前記蓋体２０と前記本体１０とが分離されて、前記本体１０の前記収納空間１６が開けられるため、ペットを出し入れできるようになる。反対に、前記ファスナー６０を引けば、前記収納空間１６は、前記蓋体２０により閉められる（図４を参照）。
【００２１】
前記伸縮ロッドアセンブリ３０の前記第一伸縮ロッド３２は、第一の外側ロッド３２０及び第一の内側ロッド３２２を備える（図５を参照）。前記第一の内側ロッド３２２は前記第一の外側ロッド３２０の軸方向の内部に挿設される。これにより、前記第一の内側ロッド３２２が、前記第一の外側ロッド３２０に直列に連結される構造が形成される。前記第二伸縮ロッド３４は第二の外側ロッド３４０及び第二の内側ロッド３４２を備える。前記第二の内側ロッド３４２は前記第二の外側ロッド３４０の軸方向の内部に挿設される。これにより、前記第二の内側ロッド３４２が、前記第二の外側ロッド３４０に直列に連結される構造が形成される。前記第一の外側ロッド３２０及び前記第二の外側ロッド３４０は、前記本体１０又は前記伸縮ロッド台座３８に配設されており、前記把手部３６は前記第一の内側ロッド３２２及び前記第二の内側ロッド３４２に連結されている。このため、前記伸縮ロッドアセンブリ３０を伸縮することにより、その長さ(高さ)を調整することが可能になるという効果が奏される。
【００２２】
本考案に係わる他の実施形態の考案は、図６に示すように、本体１０、２つの蓋体２０、伸縮ロッドアセンブリ３０、及び車輪群４０を組み合わせたものである（図６を参照）。前記本体１０は第一の部材１８及び第二の部材１９の組み合わせを備えており、２つの前記蓋体２０は前記第一の部材１８及び前記第二の部材１９にそれぞれ装設されている。なお、前記蓋体２０、前記伸縮ロッドアセンブリ３０、及び前記車輪群４０の構造及び効果は、全て前述した実施形態と同じであるため、重複する説明を省く。
【００２３】
図７に示すように、前記本体１０の前記第一の部材１８は第一の開口端１８０及び第一の閉端１８２を有し、第一の収納空間１８４は、該第一の収納空間１８４が前記第一の開口端１８０と前記第一の閉端１８２の間に位置するように、前記第一の部材１８の内部に形成される。前記第二の部材１９は第二の開口端１９０及び第二の閉口端１９２を有し、第二の収納空間１９４は、該第二の収納空間１９４が前記第二の開口端１９０と前記第二の閉端１９２の間に位置されるように、前記第二の部材１８の内部に形成される。前記第一の部材１８は、前記第二の部材１９に連結または結合される。
【００２４】
前記第一の部材１８及び前記第二の部材１９には、各自が独立した空間が形成されており、又、前記第一の収納空間１８４及び前記第二の収納空間１９４は、分割した状態になるように形成される。これにより、使用者は、２匹のペットを別々に、前記第一の部材１８及び前記第二の部材１９内に収納することができる。
【００２５】
図８を参照すれば、前記第一伸縮ロッド３２は第一の外側ロッド３２０及び第一の内側ロッド３２２を備えることが理解される。前記第一の内側ロッド３２２は、前記第一の外側ロッド３２０の、軸方向の内部に挿設される。これにより、前記第一の内側ロッド３２２が、前記第一の外側ロッド３２０に直列連結される構造が形成される。前記第二伸縮ロッド３４は、第二の外側ロッド３４０及び第二の内側ロッド３４２を含む。前記第二の内側ロッド３４２は、前記第二の外側ロッド３４０の軸方向の内部に挿設される。これにより、前記第二の内側ロッド３４２が、前記第二の外側ロッド３４０に直列連結される構造が形成される。前記第一の外側ロッド３２０及び前記第二の外側ロッド３４０は、前記本体１０または前記伸縮ロッド台座３８に配設されており、前記把手部３６は前記第一の内側ロッド３２２及び前記第二の内側ロッド３４２に連結されている。よって、前記伸縮ロッドアセンブリ３０を伸縮することにより、その長さ(高さ)を調整することが可能になるという効果を奏する。
【００２６】
上述したように、本考案に係るペット用キャリーケースの前記本体１０として硬質の外ケースを使用すれば、ペットをより効果的に保護することが可能になる。また、本考案に係るペット用キャリーケースには伸縮ロッドアセンブリ３０及び車輪群４０が配置されており、使用者にとっては、便利に且つ僅かな力で前記ペット用キャリーケースを押し引きして移動することができる。前記本体１０内にペットが２匹収納されている場合でも、僅かな力で容易に移動することが可能になる。
【００２７】
次に、前記本体１０は前記第一の部材１８及び前記第二の部材１９を有し、且つ、前記第一の部材１８における第一の収納空間１８４、及び、前記第二の部材１９における前記第二の収納空間１９４は独立した空間である。このように、２匹のペットが独立した空間内に別々に収納され、互いに喧嘩したり、不安に感じたりすることがなくなるので、より使用者の需要を満たすことができるようになる。
【００２８】
また、本考案に係るハードケースの本体１０の表面には、複数の穴５０が設けられているので、前記蓋体２０の各前記複数の通気孔２２を介して、良好な対流効果が形成される。ゆえに、前記収納空間１６に収納されたペットは、より快適に過ごすことができる。
【００２９】
以上、本考案の実施形態について図面を参照して詳述したが、具体的な構成はこれらの実施形態に限られるものではなく、本考案の要旨を逸脱しない範囲の設計変更等も、本考案に含まれる。
【符号の説明】
【００３０】
１０  本体
１１  周部
１２  開口端
１４  閉端
１６  収納空間
１８  第一の部材
１８０  第一の開口端
１８２  第一の閉端
１８４  第一の収納空間
１９  第二の部材
１９０  第二の開口端
１９２  第二の閉端
１９４  第二の収納空間
２０  蓋体
２２  複数の通気孔
３０  伸縮ロッドアセンブリ
３２  第一伸縮ロッド
３２０  第一の外側ロッド
３２２  第一の内側ロッド
３４  第二伸縮ロッド
３４０  第二の外側ロッド
３４２  第二の内側ロッド
３６  把手部
３８  伸縮ロッド台座
４０  車輪群
４２  複数の車輪
５０  穴
５２  吊り穴
５４  フック
６０  ファスナー
【図１】
0003209614.tif 000003
【図２】
0003209614.tif 000004
【図３】
0003209614.tif 000005
【図４】
0003209614.tif 000006
【図５】
0003209614.tif 000007
【図６】
0003209614.tif 000008
【図７】
0003209614.tif 000009
【図８】
0003209614.tif 000010